(57)【要約】【課題】携帯端末機においてコンテントを統合して処理することができる方法及び携帯端末装置を提供すること。【解決手段】コンテントを処理する方法は、複数のコンテントを表示する過程と、複数のコンテントのうちの特定コンテントに複数のコンテントのうちから選択されたコンテントを移動させるための入力が受信されるか検査する過程と、入力が受信されると特定コンテントを統合コンテントと設定する過程と、選択されたコンテントのデータを前記統合コンテントにリンクさせる過程と、統合コンテントに選択されたコンテントの情報を表示する統合メッセージ表示過程と、からなる。【選択図】図２
2014110053.tif 000002
【特許請求の範囲】
【請求項１】
コンテントを処理する方法であって、
複数のコンテントを表示する過程と、
複数のコンテントのうちの特定コンテントに複数のコンテントのうちから選択されたコンテントを移動させるための入力が受信されるか検査する過程と、
前記入力が受信されると前記特定コンテントを統合コンテントと設定する過程と、前記選択されたコンテントのデータを前記統合コンテントにリンクさせる過程と、
前記統合コンテントに選択されたコンテントの情報を表示する統合メッセージ表示過程と、からなることを特徴とする方法。
【請求項２】
前記入力はドラッグアンドドロップであり、
前記選択されたコンテントがドラッグアンドドロップされた所に位置された特定コンテントが統合コンテントと設定されることを特徴とする、請求項１に記載の方法。
【請求項３】
前記統合コンテントに選択される他のコンテントを移動させる入力が受信されると、
前記統合コンテントに選択された前記他のコンテントをリンクさせる過程と、
前記統合コンテントに選択された他のコンテントの情報を追加する過程をさらに含むことを特徴とする、請求項２に記載の方法。
【請求項４】
前記選択されたコンテントが統合コンテントにリンクされると前記選択されたコンテントを画面から除去する過程をさらに含むことを特徴とする、請求項３に記載の方法。
【請求項５】
前記統合コンテントに表示されるコンテント情報はコンテントのアイコンイメージであり、
前記コンテントの追加過程は前記追加されるコンテントのアイコンイメージを順次に追加して表示することを特徴とする、請求項４に記載の方法。
【請求項６】
前記複数のコンテントを表示する過程は、
複数のコンテントを並べて表示するタイルビューであり、表示されるコンテントはサムネイルビューであることを特徴とする、請求項１に記載の方法。
【請求項７】
前記統合コンテントが選択されると前記統合コンテントにリンクされた選択されたコンテントの詳細画面を表示する過程をさらに備えることを特徴とする、請求項６に記載の方法。
【請求項８】
前記コンテントの詳細画面を表示する過程は、
リンクされて選択されたコンテントが前記統合コンテントにリンクされた手順で上端から下端に詳細画面で表示する過程と、
スクロール入力によって前記表示される統合コンテント及びリンクされて選択されたコンテントの詳細画面を移動させて表示する過程と、からなることを特徴とする、請求項７に記載の方法。
【請求項９】
前記コンテントの詳細画面を表示する過程において詳細画面の選択時、選択された詳細画面のコンテントの実行アプリケーションを呼び出してコンテントを実行する過程をさらに備えることを特徴とする、請求項７に記載の方法。
【請求項１０】
前記詳細画面で入力が検出されると編集メニューを表示する過程、及び
前記編集メニューで編集メニューアイテムが選択されると選択された編集メニューによる編集機能を実行する過程をさらに含むことを特徴とする、請求項７に記載の方法。
【請求項１１】
前記編集メニューはデータ編集アイテム、コンテント削除アイテム、ｆａｖｏｒｉｔｅ 登録アイテム及びクリップボードの追加アイテムのうちの少なくとも一つを含むことを特徴とする、請求項１０に記載の方法。
【請求項１２】
前記データ編集アイテムが選択されるとキーパッドを表示する過程、及び
前記キーパッドで発生される入力ンに応じてデータを編集する過程をさらに含むことを特徴とする、請求項１１に記載の方法。
【請求項１３】
前記編集入力は詳細画面でタッチ及びホールド作動に応じて実行されることを特徴とする、請求項１０に記載の方法。
【請求項１４】
前記統合メッセージ表示過程は、
アイコンイメージが選択されると選択されたアイコンイメージに対応されるコンテントのメタ情報を表示する過程をさらに備えることを特徴とする、請求項５に記載の方法。
【請求項１５】
コンテントを処理する方法であって、
統合コンテントに前記統合コンテントにリンクされたコンテントの情報を表示する過程と、
前記統合コンテントからコンテントを分離するための入力の受信を検査する過程と、
前記入力が受信されると統合コンテントとコンテントの間のリンクを解除する過程と、
前記統合コンテントから前記コンテントの情報除去する過程と、からなることを特徴とする方法。
【請求項１６】
前記入力はドラッグアンドドロップであり、
ドロップ位置にあるコンテント情報に該当するコンテントを表示する過程をさらに備えることを特徴とする、請求項１５に記載の方法。
【請求項１７】
前記統合コンテントに表示されるコンテント情報はコンテントのアイコンイメージであることを特徴とする、請求項１６に記載の方法。
【請求項１８】
前記複数のコンテントを表示する過程は、
複数のコンテントを並べて表示するタイルビューであり、表示されるコンテントはサムネイルビューであることを特徴とする、請求項１７に記載の方法。
【請求項１９】
携帯端末機であって、
複数のコンテントを表示する表示部と、
統合コンテントを処理するための入力を受信する入力部と、
前記統合コンテントにリンクされるコンテントのリンク情報を保存するメモリーと、
複数のコンテントのうちの特定コンテントに複数のコンテントのうちから選択されたコンテントを移動させるための入力が受信されるか検査し、前記入力が受信されると前記特定コンテントを統合コンテントと設定し、選択されたコンテントのデータを前記統合コンテントにリンクさせて、前記統合コンテントに選択されたコンテントの情報を表示する制御部と、から構成されたことを特徴とする携帯端末機。
【請求項２０】
前記入力はドラッグアンドドロップであり、
前記制御部はドラッグ及びドロップ検出時、ドロップ位置のコンテントを前記統合コンテントと設定することを特徴とする、請求項１９に記載の携帯端末機。
【請求項２１】
前記制御部は、
他のコンテントを選択して統合コンテントにドロップさせる入力を受信すると、選択されたコンテントを前記統合コンテントに追加してリンクさせて、前記統合コンテントにコンテント情報を追加して表示することを特徴とする、請求項２０に記載の携帯端末機。
【請求項２２】
前記制御部は、
選択されたコンテントが前記統合コンテントにリンクされると、前記表示部の画面から除去することを特徴とする、請求項２１に記載の携帯端末機。
【請求項２３】
前記統合コンテントに表示されるコンテント情報はアイコンイメージであり、
前記制御部は前記統合コンテントに追加されるコンテントのアイコンイメージを順次にスタッキングして表示することを特徴とする、請求項２２に記載の装置。
【請求項２４】
前記制御部は前記表示部に複数のコンテントを並べて表示して、表示されるコンテントはサムネイルビューであることを特徴とする、請求項１９に記載の携帯端末機。
【請求項２５】
前記制御部は、
前記表示される統合コンテントが選択されると前記統合コンテントにリンクされたコンテントの詳細画面を表示することを特徴とする、請求項２４に記載の携帯端末機。
【請求項２６】
前記制御部は、前記表示される詳細画面が選択されると選択された詳細画面のコンテントの実行アプリケーションを実行することを特徴とする、請求項２５に記載の携帯端末機。
【発明の詳細な説明】
【技術分野】
【０００１】
本発明は、携帯端末機において相互に関連付けられたコンテント（contents）を統合して処理することができる方法及び携帯端末装置に関する。
【背景技術】
【０００２】
携帯端末機は、通話機能以外に多様なコンテントを処理することができる機能を備えている。従って、携帯端末機のユーザは一つの画面に複数のコンテントを表示することができ、必要に応じて望むコンテントを選択して処理することができる。特に、携帯端末機はコンテントを一画面に並んでレビューするタイル又はポートフォリオ形式のビューア(Ｖｉｅｗｅｒ)を備え、タイル又はポートフォリオビューアで複数のコンテントを一つの画面に表示する。さらに、上記のように一画面に表示されるコンテントは互いに異なる種類のコンテントであってもよい。例えば、オーディオコンテント、ビデオコンテント、写真、文書、地図等を挙げることができる。
【０００３】
この際、一つの画面に表示されるコンテントは互いに相互関連性を有することができる。例えば、旅行中の写真を撮影し、撮影された写真に対応する情報を音声及び／又は文字で付加説明するコンテントを生成することができる。この場合、撮影された写真、音声及び文字は互いに相互関連性を有する。従って、これらを統合して管理することが好ましい。しかし、従来には一つの画面に複数のコンテントを表示する際、各々のコンテントを画面に並べて(Ｆｒｅｅ ｌａｙｏｕｔ)表示しているだけ、各々のコンテントが互いに同一の主題で連結されている相互関連関係を表示することができなかった。
【発明の概要】
【発明が解決しようとする課題】
【０００４】
本発明は、携帯端末機においてコンテントのうちで互いに相互に関連あるコンテントを統合して表示及び処理することができる装置及び方法を提案する。本発明の携帯端末機は互いに相互関連性がある複数のコンテントのうちで統合コンテントを設定し、統合コンテントに係るコンテントをリンクさせて、リンクされたコンテントの情報を統合コンテントに表示する。
【０００５】
これのために本発明の実施形態による携帯端末機のコンテント処理方法は、複数のコンテントを一つの画面に表示し、コンテントを統合するためのインタラクション検出時、選択されたコンテントを統合コンテントにリンクさせて、リンクされたコンテントのアイテムを統合コンテントの表示領域に表示する。さらに、統合コンテントからアイテムを削除するインタラクション発生時、統合コンテントから当該のアイテムのコンテントリンクを解除して、解除されたコンテントを画面に表示する。
【課題を解決するための手段】
【０００６】
コンテントを処理する方法であって、複数のコンテントを表示する過程と、複数のコンテントのうちの特定コンテントに複数のコンテントのうちから選択されたコンテントを移動させるための入力が受信されるかを検査する過程と、上記入力が受信されると上記特定コンテントを統合コンテントと設定する過程と、上記選択されたコンテントのデータを上記統合コンテントにリンクさせる過程と、上記統合コンテントに選択されたコンテントの情報を表示する統合メッセージ表示過程と、からなる。
【０００７】
また、コンテントを処理する方法であって、統合コンテントに上記統合コンテントにリンクされたコンテントの情報を表示する過程と、上記統合コンテントからコンテントを分離するための入力の受信を検査する過程と、上記入力が受信されると統合コンテントとコンテントの間のリンクを解除する過程と、上記統合コンテントから上記コンテントの情報を除去する過程と、からなる。
【０００８】
また、携帯端末機は、複数のコンテントを表示する表示部と、統合コンテントを処理するための入力を受信する入力部と、上記統合コンテントにリンクされるコンテントのリンク情報を保存するメモリーと、複数のコンテントのうちの特定コンテントに複数のコンテントのうちから選択されたコンテントを移動させるための入力が受信されるか検査し、上記入力が受信されると上記特定コンテントを統合コンテントと設定し、選択されたコンテントのデータを上記統合コンテントにリンクさせて、上記統合コンテントに選択されたコンテントの情報を表示する制御部と、から構成される。
【発明の効果】
【０００９】
本発明は、携帯端末機でコンテントを一画面に並べてレビューするタイル又はポートフォリオ(ｔｉｌｅ ｏｒ ｐｏｒｔｆｏｌｉｏ)形式のビューアで互いに相互に関連あるコンテントをコンテントミキサ(Ｃｏｎｔｅｎｔ  Ｍｉｘｅｒ)を通じて一つで結んで共にレビューできる。従って、携帯端末機は多様なフォーマットのコンテントを一つのコンテントと統合することができ、これにより相互に関連付けられたコンテントを一つのストーリーで編むことができる。従って、本発明の実施形態による携帯端末機は、相互に関連付けられたコンテントを一つのコンテントにミックスしてリッチストーリー(Ｒｉｃｈ Ｓｔｏｒｙ)を構成することができ、様々なコンテントを処理するために一つずつ進入したり検索(Ｎａｖｉｇａｔｉｏｎ)せず一画面で簡便にレビューすることができると共に、画面に秩序無しに散らばっているコンテントをストーリーグループ(Ｓｔｏｒｙ ｇｒｏｕｐ)できちんと整理することができるメリットがある。
【図面の簡単な説明】
【００１０】
【図１】本発明の実施形態による携帯端末機の構成を示した図面である。
【図２】本発明の実施形態による携帯端末機で統合コンテントを生成する手続きを示したフローチャートである。
【図３】図２等の手続きで生成される統合コンテントの例を示した図面である。
【図４】本発明の実施形態による携帯端末機で統合コンテントの処理手続きを示したフローチャートである。
【図５Ａ】図４等の手続きを実行する過程で処理されるコンテントの表示例を示した図面である。
【図５Ｂ】４等の手続きを実行する過程で処理されるコンテントの表示例を示した図面である。
【図６】統合コンテントの詳細画面を表示する状態で選択されたコンテントを実行する例を示した図面である。
【図７】本発明の実施形態による携帯端末機で統合コンテント内のコンテントを分離及び編集する手続きを示したフローチャートである。
【図８】図７において統合コンテントにリンクされたコンテントを分離する手続きを示したフローチャートである。
【図９Ａ】図８等の手続きによって統合コンテントでリンクされたコンテントを分離する例を示した図面である。
【図９Ｂ】図８等の手続きによって統合コンテントでリンクされたコンテントを分離する例を示した図面である。
【図１０】図７において統合コンテントにリンクされたコンテントを編集する手続きを示したフローチャートである。
【図１１Ａ】図１０等の手続きによって統合コンテントのコンテントを編集する例を示した図面である。
【図１１Ｂ】図１０等の手続きによって統合コンテントのコンテントを編集する例を示した図面である。
【図１１Ｃ】図１０等の手続きによって統合コンテントのコンテントを編集する例を示した図面である。
【図１１Ｄ】図１０等の手続きによって統合コンテントのコンテントを編集する例を示した図面である。
【図１１Ｅ】図１０等の手続きによって統合コンテントのコンテントを編集する例を示した図面である。
【発明を実施するための形態】
【００１１】
以下、本発明の好ましい実施形態の詳細な説明が添付した図面を参照して詳しく説明する。その際、図面において同一構成要素には可能な限り同一符号が付されている事に留意されたい。また、本発明の要旨を却って不明瞭にするような公知機能及び構成に関する説明は省略する。
【００１２】
本発明は携帯端末機で複数の互いに異なるタイプのコンテントを一つのコンテントに統合して表示及び処理する装置及び方法を提案する。この際、リンクされるコンテントを統合コンテント(ｍａｓｔｅｒ ｃｏｎｔｅｎｔｓ)と称し、上記統合コンテントはユーザによって選択される。さらに、上記統合コンテントにリンクされるコンテントを互いに相互に関連するコンテントとなることができる。携帯端末機は、コンテントを一つの画面に並べてレビューするタイル、ポートフォリオ、キャンバス及び／又はボード(ｔｉｌｅ、ｐｏｒｔｆｏｌｉｏ、ｃａｎｖａｓ ａｎｄ/ｏｒ ｂｏａｒｄ)形式のビューアを提供することができる。ここで上記タイル、ポートフォリオ、キャンバス及び／又はボードビューアは、コンテントをサムネイルビュー形態で表示し、サムネイルビュー形態で表示されるコンテントを表示すると当該のコンテントの詳細画面(ｄｅｔａｉｌ ｖｉｅｗ)を表示する。以下の説明に上記サムネイルビューをタイル又はポートフォリオと称する。本発明の実施形態で携帯端末機はタイル又はポートフォリオビューアモードで、互いに同一の主題として相互に関連するコンテントをコンテントミキサを通じて一つと統合して共にレビューできる。この際、上記統合コンテントは多様なフォーマットのコンテントを一つのコンテントで表示及び処理することができ、これにより相互に関連されたコンテントを一つのストーリーで管理する。
【００１３】
携帯端末機は、インテグレーテット(ｉｎｔｅｇｒａｔｅｄ)されたコンテントに複数の相互に関連するコンテントを効率的に混合し、個別的なコンテントレビューモードを実行したり、或いはリンクされた全てのコンテントをナビゲーションせず個別的なコンテントをチェックすることができ、画面で単純化されたグループに分配されたコンテントを構成することができる。
【００１４】
図１は、本発明の実施形態による携帯端末機の構成を示した図面である。ここで上記携帯端末機はスマートフォンを含む携帯電話機、ＭＰ３端末機、タブレットＰＣ(ｔａｂｌｅｌｅｔ ＰＣ)、コンピューターなどの多様なデジタル機器であってもよい。
【００１５】
上記図１を参照すれば、通信部１２０は基地局又は他の装置と無線通信機能を実行する。
【００１６】
ここで上記通信部１２０は、送信信号の周波数を上昇変換(ｆｒｅｑｕｅｎｃｙ ｕｐ ｃｏｎｖｅｒｔｅｒ)及び電力増幅する送信部と、受信信号を低雑音増幅及び周波数を下降変換(ｆｒｅｑｕｅｎｃｙ ｄｏｗｎ ｃｏｎｖｅｒｔｅｒ)する受信部などから構成されることができる。また、上記通信部１２０は変調部及び復調部を備えることができる。ここで変調部は送信信号を変調して送信部に伝達し、復調部は受信部を通じて受信される信号を復調する。この場合、上記変復調部はＬｏｎｇ-Ｔｅｒｍ Ｅｖｏｌｕｔｉｏｎ(ＬＴＥ)、Ｗｉｄｅｂａｎｄ Ｃｏｄｅ Ｄｉｖｉｓｉｏｎ Ｍｕｌｔｉｐｌｅ Ａｃｃｅｓｓ(ＷＣＤＭＡ（登録商標）)、Ｇｌｏｂａｌ Ｓｙｓｔｅｍ ｆｏｒ Ｍｏｂｉｌｅ ｃｏｍｍｕｎｉｃａｔｉｏｎ(ＧＳＭ（登録商標）) 等となることができ、また、Ｗｉｒｅｌｅｓｓ-Ｆｉｄｅｌｉｔｙ(Ｗｉ-Ｆｉ)、Ｗｉｒｅｌｅｓｓ Ｂｒｏａｄｂａｎｄ(ＷｉＢｒｏ)、等となることができ、Ｎｅａｒ Ｆｉｅｌｄ Ｃｏｍｍｕｎｉｃａｔｉｏｎ(ＮＦＣ)、Ｂｌｕｅｔｏｏｔｈ（登録商標）等となることができる。本発明の実施形態では上記通信部１２０がＬＴＥ、ＷＩＦＩ、Ｂｌｕｅｔｏｏｔｈ通信部を備えると仮定する。
【００１７】
制御部１００は、携帯端末機の全般的な作動を制御する。また、上記制御部１００は複数のコンテントを一つの画面に表示するビューアモードを制御し、上記ビューアモードでコンテントを統合するためのインタラクションが検出されると選択されたコンテントを統合コンテントにリンクさせて、リンクされたコンテントのアイテムを統合コンテントに含ませて表示されるように制御する。
【００１８】
メモリー１１０は、端末機の作動プログラム及び本発明の実施形態によるプログラムを保存するプログラムメモリーと、端末機の動作のためのテーブル及びプログラム実行中に発生されるデータを保存するデータメモリーを備えることができる。また、本発明の実施形態による上記メモリー１１０は、上記制御部１００によって統合コンテントに統合されるコンテントのリンク情報を保存する。
【００１９】
表示部１３０は、上記制御部１００の制御下に実行中のアプリケーション及び／又はコンテントを表示する。上記表示部１３０は、ＬＣＤ又はＯＬＥＤとなることができる。第１入力部１４０は静電容量方式又は抵抗膜方式で具現されることができ、ユーザのタッチ(以下、指タッチと仮定する)の位置情報を上記制御部１００に出力する。第２入力部１５０は、ＥＭＲセンサーパッドを備えることができ、ペンタッチ入力を検出して上記制御部１００に出力する。ここで上記表示部１３０、タッチパネル１４０及びＥＲＭパネル１５０は一体型で構成されてもよい。
【００２０】
上記のような構成を有する携帯端末機で制御部１００は、上記表示部１３０に互いに異なるタイプのコンテントを表示する。ここで上記のようにコンテントを表示部１３０に一つの画面で並べて表示するビューアをタイル又はポートフォリオビューア(ｔｉｌｅ ｏｒ ｐｏｒｔｆｏｌｉｏ ビューア)と称する。上記のように複数のコンテントを表示するタイル又はポートフォリオビューアでユーザが任意のコンテントを選択して他のコンテント(統合コンテント)に移動させる入力インタラクションを発生すると、上記制御部１００は第１入力部１４０又は第２入力部１５０を通じてこれを検出し、上記入力インタラクションによって選択されたコンテントを統合コンテントにリンクさせて統合コンテントにはリンクされたコンテントの情報を表示する。
【００２１】
以下の説明で上記コンテント情報はアイコンと仮定し、上記アイコンはコンテントタイプによって各々に対応されるように設定されるイメージであってもよい。また、上記入力インタラクションはドラッグアンドドロップ(ｄｒａｇ ＆ ｄｒｏｐ)と仮定する。この場合、ユーザは統合しようとするコンテントをタッチした後、ドラッグして統合コンテント位置でドロップして、上記制御部１００はタッチされた位置を検出してコンテントを選択して、選択されたコンテントをドラッグ作動によって移動させてドロップ位置に統合コンテントの表示領域に選択されたコンテントのアイコンを表示する。さらに、上記メモリー１１０に統合コンテントに上記選択されたコンテントをリンクさせて上記表示部１３０でリンクされたコンテントの表示を削除する。この際、上記制御部１００は統合コンテントに一つのコンテントをリンクさせることができ、複数のコンテントをリンクされる場合、上記統合コンテントにリンクされるコンテントのアイコンを順次に生成して表示し、上記メモリー１１０にリンクされるコンテント情報も順次にリンクさせる。
【００２２】
この際、上記のように一つ以上のコンテントがリンクされた統合コンテントを選択し、上記制御部１００は第１入力部１４０又は第２入力部１５０を通じてこれを検出し、上記表示部１３０を制御して上記統合コンテントにリンクされたコンテントの詳細情報を表示する。この際、上記コンテントの詳細情報はリンクされた手順によって上側から下側に又は左側から右側に順次に表示し、ユーザの選択(例えば、スクロール入力等)で以後又は以前のコンテント詳細画面(ｄｅｔａｉｌ ｖｉｅｗ)を表示することができる。
【００２３】
また、上記統合コンテントにリンクされたコンテントを統合コンテントから分離することができる。ユーザが統合コンテントに表示されるアイコンを選択してドラッグした後、統合コンテント表示領域の外からドロップすると、上記制御部１００は第１入力部１４０又は第２入力部１５０を通じてこれを検出し、上記ドロップされた位置でアイコンに対応されるリンクされたコンテントのサムネイルビューを表示する。この際、上記制御部１００は上記メモリー１１０で当該のコンテントのリンクを統合コンテントで解除し、上記表示部１３０で統合コンテントに表示される当該のコンテントのアイコン表示を削除する。上記のように本発明は表示されるコンテントを入力インタラクション(Ｄｒａｇ＆Ｄｒｏｐ)によって統合コンテントにリンクさせて統合し、統合コンテントにリンクされたコンテントのアイコンを表示する。さらに、上記統合コンテントを選択(例えば、Ｔａｂ)すると、制御部１００は統合コンテントにリンクされたコンテントの詳細画面を上記表示部１３０に表示し、これによりユーザは統合コンテントにリンクされたコンテントをレビュー(Ｒｅｖｉｅｗ)できる。この際、上記制御部１００はリンクされたコンテントを統合された順に並べて表示することができる。また、上記制御部１００は統合コンテントにリンクされたコンテントのアイコンを表示する時、追加にリンクされるコンテントのアイコンを順次に表示することができる。例えば上記制御部１００は、コンテントの追加時、サムネイルのファイル形式のアイコンを右側から左側に順次にスタッキング(Ｓｔａｃｋｉｎｇ)して表示することができる。また、上記統合コンテントを選択すると、上記制御部１００は統合コンテントにリンクされたコンテントの詳細画面を表示する。この際、統合コンテントは最初位置(例えば、縦表示モードの場合、最上端、横表示モードの場合、左側)に位置されると、リンクされる順に(例えば、縦表示モードの場合、リストの上端から下端に) コンテントが表示される。
【００２４】
図２は、本発明の実施形態による携帯端末機で統合コンテントを生成する手続きを示したフローチャートである。図３は図２の手続きに生成される統合コンテントの例を示した図面である。
【００２５】
上記図２及び図３を参照すれば、タイル又はポートフォリオビューがリクエストされると、上記制御部１００は２１１段階でこれを検出する。即ち、上記制御部１００は２１１段階でユーザ入力がタイル又はポートフォリオビューの表示をリクエストするのか否かを決定する。この際、ユーザ入力がタイル又はポートフォリオビューのリクエストではない場合、上記制御部１００は２３１段階で該当する機能を実行する。しかし、タイル又はポートフォリオビューがリクエストされると、上記制御部１００は２１３段階でビューアリクエストを実行して少なくとも一つのコンテントを表示部１３０に表示する。ここで、上記表示部１３０で表示されるコンテントはサムネイルビューモードでサムネイルイメージの形態で表示されることができる。また、上記コンテントは上記表示部１３０に開かれた形態で表示されることができ、ユーザのタッチインタラクションによってその表示される位置を変更してもよい。また、上記表示部１３０に表示されるコンテントは互いに異なるコンテントタイプ(ｃｏｎｔｅｎｔ ｔｙｐｅ)を有することができる。すなわち、上記コンテントは、オーディオ及び／又はビデオ等のマルチメディアコンテントとなることができ、写真等のイメージコンテントとなることができ、メモ及び文書等のコンテントとなることができる。図３の３１０は、上記２１３段階で上記表示部１３０に表示されるコンテントの表示例を示している。上記図３の３１０で参照番号３１１−３１８はサムネイルビューで表示されるコンテントを示し、表示されるコンテントのうちの３１１は写真イメージ、３１３はオーディオファイル、３１５はメモ、３１６は音楽の場合を仮定している。
【００２６】
上記のように表示されるコンテント３１１−３１８の全て、或いは一部のコンテントは互いに同一主題を有する相互に関連するコンテントであってもよい。以下、互いに同一主題を有するコンテントを相互関連コンテント(ｃｏｒｒｅｌａｔｅｄ ｃｏｎｔｅｎｔ)と称する。この場合、相互関連コンテントは一つのコンテントに統合して管理することが好ましい。従って、ユーザによる入力インタラクションによって上記制御部１００は互いに相互関連性がある複数のコンテントのうちで統合コンテント(ｍａｓｔｅｒ ｃｏｎｔｅｎｔ)を設定し、設定された統合コンテントに相互関連コンテントをリンクさせて、リンクされたコンテントの情報を統合コンテントにアイコンで表示する。ここで上記入力インタラクションはドラッグアンドドロップと仮定する。
【００２７】
図２の２１５段階で、上記制御部１００はコンテントを統合するための入力インタラクションが発生されるか検査する。上記３１０のように表示される状態でユーザがコンテント３１３をタッチした後、ドラッグしてコンテント３１１の位置でドロップすると、上記制御部１００は２１５段階でコンテントを統合するための入力インタラクションが発生されたことで検出する。この際、上記２１５段階で入力インタラクションが検出されない場合、上記制御部１００は２２１段階へ進行する。そして上記２１５段階でコンテント統合のための入力インタラクションが検出されると、上記制御部１００はドロップ位置のコンテント３１１を統合コンテントと設定して、２１７段階からタッチ及びドラッグによって選択及び移動されるコンテント３１３を統合コンテント３１１にリンクさせて、２１９段階でリンクされたコンテント３１３のアイコンを上記コンテント３１１に表示する。この際、上記制御部１００は上記表示部１３０でリンクされたコンテントの表示は除去することができる。また、上記ユーザがコンテント３１５をタッチした後、ドラッグしてコンテント３１１でドロップすると、上記制御部１００は上記２１５−２１９段階を実行しながらコンテント３１５をコンテント３１１にリンクさせて上記コンテント３１１にコンテント３１５のアイコンイメージを表示する。従って、図３の３１０に示したように表示部１３０の画面に複数のコンテントを表示する状態で統合コンテントにリンクさせるためのユーザの入力インタラクションが発生されると、制御部１００は３２０のようにユーザによって選択されたコンテント３１３、３１５を統合コンテント３１１にリンクさせて、さらに統合コンテント３１１にリンクされたコンテント３１３及び３１５のアイコン３２１及び３２３を表示する。この際、上記統合コンテントにリンクされるコンテントのリンク情報は上記コンテントが保存されたメモリー１１０のリンク情報及び当該のコンテントのメタ情報となることができる。ここで、上記コンテントのタイプに対するメタ情報を以下の表１の通りである。
【００２８】
【表１】
2014110053.tif 000003
【００２９】
さらに、上記制御部１００は、図３の３２０に示したようにコンテント３１３及び３１５をリンクしている上記統合コンテント３１１でコンテント３１３及び／又は３１５の表示を除去することができる。この際、上記統合コンテント３１１はリンクされたコンテントのアイコンを表示するための領域３１５を設定する。この際、上記制御部１００はアイコン表示領域３２５に表示されるアイコンを順次にスタッキング(ｓｔａｋｉｎｇ)して表示する。３２０は統合コンテントのアイコン表示領域３２５は追加されるアイコンが右側から左側に順次にスタッキングされる例を示している。
【００３０】
従って、上記図２等の手続きを実行すると、図３に示された参照番号３４０のように設定された統合コンテント３１１に参照番号３５０のようにリンクされるコンテント３２１及び３２３のアイコンが表示される。従って、上記制御部１００は統合コンテントと異なるコンテントを区分して表示することができ、さらに統合コンテントにリンクされたコンテントのタイプ及び個数を表示する。この際、リンクされたコンテントタイプが複数個の場合、リンクされる順にアイコン表示領域に表示することができ、さらに当該のタイプのアイコンに数字を表示してリンクされた個数を表示することもできる。さらに上記アイコン表示領域３２５に表示されるアイコンをタッチすると(或いは、アイコンに一定距離以上にホバリング(ｈｏｖｅｒｉｎｇ)すると)、上記制御部１００は第１入力部１４０又は第２入力部１５０を通じてこれを検出し、当該のアイコンに対応されるコンテントの簡略情報を表示することができる。ここで、上記コンテントの簡略情報は上記表１のようなメタ情報となることができる。
【００３１】
以後、タイル又はポートフォリオビューアを終了すると、上記制御部１００は２２１段階でこれを検出し、統合コンテント生成手続きを終了する。しかし、上記ビューアの終了ではない場合、上記制御部１００は上記図２の２１３段階へ戻って上記のような過程を繰り返し実行することができる。
【００３２】
上記図２及び図３のように統合コンテントを含むタイル又はポートフォリオビューを実行する状態でユーザが統合コンテントを選択すると、上記制御部１００はこれを検出して図３ｄの３３０のように統合コンテントにリンクされたコンテントの詳細画面(ｄｅｔａｉｌ ｖｉｅｗ)を表示する。即ち、本発明の実施形態による携帯端末機はタイル又はポートフォリオビューを実行する状態で統合コンテントを選択するとリンクされたコンテントの詳細画面を表示し、表示される詳細画面を選択すると、該当するアプリケーションが実行されてコンテントの表示動作を制御する。
【００３３】
図４は、本発明の実施形態による携帯端末機で統合コンテントの処理手続きを示したフローチャートである。図５Ａ及び図５Ｂは図４等の手続きを実行する過程で処理されるコンテントの表示例を示した図面であり、図６は統合コンテントの詳細画面を表示する状態で選択されたコンテントを実行する例を示した図面である。
【００３４】
上記図４−５ｂを参照すれば、タイル又はポートフォリオビューがリクエストされない場合、上記制御部１００は４１１段階でこれを検出し、４３１段階で該当する機能を実行する。しかし、上記タイル又はポートフォリオビューがリクエストされると上記制御部１００は４１１段階でこれを検出して４１３段階でコンテントを表示部１３０に並べて表示する。上記４１３段階でコンテントの移動のための命令が発生されない場合、上記制御部１００は４１５段階でこれを検出して４２１段階へ進行する。
【００３５】
しかし、上記４１３段階で一つの画面にコンテントを表示する状態でコンテント移動のための入力インタラクションが発生されると、上記制御部１００は４１５段階でこれを検出し、４１７段階で選択されたコンテントを統合コンテントにリンクさせて、４１９段階でリンクされるコンテントのアイコンイメージを上記統合コンテントのアイコン表示領域に表示する。
【００３６】
上記図５Ａ及び図５Ｂを参照すれば、５１０のように表示部１３０でコンテントが表示される状態でユーザがコンテント５１３をタッチした後、ドラッグしてコンテント５１１でドロップすると、上記制御部１００は上記ドラッグアンドドロップ入力インタラクションによってコンテントの移動を検出する。この場合、上記制御部１００はドロップ位置のコンテント５１１を統合コンテントと設定して、上記コンテント５１３を設定された統合コンテント５１１にリンクさせる。この際、上記リンクされる情報は上記コンテント５１３が保存されたメモリー１１０の住所及び上記表１のようなコンテントのメタ情報となることができる。そして上記制御部１００は図５Ａの５２０のように統合コンテント５１１にコンテント５１３のアイコンイメージ５２１を表示し、表示部１３０で上記コンテント５１３の表示を除去する。
【００３７】
ユーザがコンテント５１５をドラッグして統合コンテント５１１にドロップすると、制御部１００は上記図４の４１３―４１９段階を実行すると共に統合コンテント５１１にコンテント５１５をリンクさせて、図５Ｂの５３０画面のように統合コンテント５１１にリンクされたコンテント５１５のアイコンイメージ５３１を表示して、表示部１３０の画面に表示されたコンテント５１５を除去する。
【００３８】
また、類似の方法としてユーザがコンテント５１７をドラッグして統合コンテント５１１にドロップすると、制御部１００は上記図４の４１３−４１９段階を実行しながら統合コンテント５１１にコンテント５１５をリンクさせて、図５Ｂの５４０画面のように統合コンテント５１１にリンクされたコンテント５１７のアイコンイメージ５３１を表示して、表示部１３０の画面に表示されたコンテント５１７を除去する。上記のユーザがコンテントを移動させるための入力インタラクションを発生すると、上記制御部１００はこれを検出して当該のコンテントを統合コンテントにリンクさせて、リンクされたコンテントのアイコンイメージを統合コンテントに表示すると共に表示部１３０で当該のコンテントの表示を除去する。
【００３９】
また、上記の統合コンテントを移動させることもできる。この場合、ユーザが統合コンテントをドラッグした後、さらに他のコンテント位置でドロップすると、上記制御部１００はドロップ位置のコンテントを新しい統合コンテントと設定して、選択された統合コンテントを新しく設定された統合コンテントにリンクさせる。上記制御部１００は新しい統合コンテント(ｎｅｗ ｍａｓｔｅｒ ｃｏｎｔｅｎｔ)に以前の統合コンテント(ｏｌｄ ｍａｓｔｅｒ ｃｏｎｔｅｎｔ)のアイコンイメージを表示する。上記以前の統合コンテントのアイコンイメージは単一コンテントアイコンイメージと区別されるように他の色相及び／又はサイズと表示することができる。図４を参照すれば、上記４２１段階で統合コンテントが選択されるか検査する。上記統合コンテントが選択されない場合、上記制御部１００は４２５段階へ進行する。そして上記統合コンテントを表示する状態でユーザがコンテントを選択すると、上記制御部１００は４２１段階で上記第１入力部１４０又は第２入力部１５０を通じてこれを検出し、４２３段階で選択されたコンテント及び／又はリンクされたコンテントの詳細画面を表示する。
【００４０】
上記図５Ａ及び図５Ｂを参照すれば、上記選択されるコンテントは統合コンテントであることができ、また単一コンテントであってもよい。すなわち、図５Ａの５１０のように表示される状態でコンテント５１１は単一コンテントであり、この際、上記コンテント５１１を選択すると、上記制御部１００は５５０のようにコンテント５１１の詳細画面を表示する。この際、表示されるコンテントの詳細画面５５１はコンテントの詳細データ及びメタ情報を含むことができる。さらに、図５Ａの５１１のような統合コンテントを選択する場合、上記制御部１００は５６０のようにコンテント５１１のオリジナルコンテントの詳細画面５５１及びリンクされたコンテント５１３の詳細画面化５６１を表示する。また、図５Ｂの５３０のようにコンテント５１３及び５１５がリンクされた統合コンテント５１１を選択すると、上記制御部１００は図５Ｂの５７０のようにオリジナルコンテント及びリンクされたコンテントの詳細画面を表示する。さらに図５Ｂの５４０のようにコンテント５１３−５１７がリンクされた統合コンテント５１１を選択すると、上記制御部１００は図５Ｂの５８０のようにオリジナルコンテント及びリンクされたコンテントの詳細画面を表示する。
【００４１】
この際、上記統合コンテントにリンクされるコンテントは追加される順にリンクされて、従って、最初位置には統合コンテントのオリジナルコンテントの詳細画面データが位置され、上記オリジナルコンテントの次にコンテントの詳細画面データは追加される順にリンクされる。さらに、上記統合コンテントを選択する場合、上記制御部１００は表示部１３０の表示モードによって統合コンテントのオリジナルコンテント及びリンクされたコンテントの詳細画面を表示する。すなわち、縦表示画面の場合、上記制御部１００は上記表示部１３０に上記図５Ｂの５５０−５８０のようにリンクされたコンテントの詳細画面を上端から下端に追加された手順に応じて表示する。この際、統合コンテントの最上端位置には元のコンテント(ｏｒｉｇｉｎａｌ ｃｏｎｔｅｎｔ図３の場合、３４０のようなコンテント)が位置され、以後追加された順にリンクされる。また、横表示画面の場合、上記制御部１００は上記表示部１３０に統合コンテントにリンクされたコンテントの詳細画面を左側から右側に追加された手順に応じて表示する。この際、統合コンテントの最左側位置には元のコンテント(ｏｒｉｇｉｎａｌ ｃｏｎｔｅｎｔ)が位置され、以後追加された順にリンクされる。
【００４２】
上記のように統合コンテントの詳細画面(ｄｅｔａｉｌ ｖｉｅｗ)を表示する状態でユーザが表示部１３０からスクロール入力を発生すると、上記制御部１００は第１入力部１４０又は第２入力部１５０を通じてこれを検出し、上記スクロール方向に応じてコンテントの詳細画面を上下(又は左右)スクロールして表示する。従って、上記制御部１００はユーザのスクロール入力によってコンテントの詳細画面をスクロール表示することができる。また、上記統合コンテント内に他の統合コンテントがリンクされた場合、ユーザは詳細画面を表示する状態で当該の統合コンテントを選択して詳細画面を表示することができる。
【００４３】
上記統合コンテントの詳細画面を表示する状態で表示される特定コンテントの詳細画面を選択すると、上記制御部１００は４２５段階でこれを検出し、４２７段階で選択されたコンテントの該当のアプリケーションを呼び出して実行する。即ち、統合コンテントにリンクされたコンテントの詳細画面を表示する状態で特定コンテントが選択されると、上記制御部１００は当該のコンテントのアプリケーションを実行する。
【００４４】
図６を参照すれば、統合コンテント６１０はオーディオコンテント６２０、メモコンテント６３０、音楽コンテント６４０、マップコンテント６５０及びビデオコンテント６６０をリンクしている場合の例を示し、上記統合コンテント６１０を選択するとリンクされたコンテント６２０−６６０の詳細画面を順次に表示する。この際、ユーザは上記のようにスクロール入力によって望むコンテントの詳細画面を表示することができる。上記のような状態で望むコンテントの詳細画面を選択すると、上記制御部１００はこれを検出して選択されたコンテントに対応されるアプリケーションを呼び出して実行する。すなわち、本発明の実施形態による携帯端末機は統合コンテントの詳細画面を表示する状態でユーザが特定コンテントの詳細画面を選択すると選択されたコンテントを実行するためのアプリケーションを呼び出し、呼び出されたアプリケーションによって選択されたコンテントを実行する。
【００４５】
上記のように携帯端末機で表示されるコンテントのうちで任意のコンテントを統合コンテントと設定し、設定された統合コンテントに表示されるコンテントを統合して管理することができる。さらに、上記統合コンテントにリンクされたコンテントを分離することができ、また統合コンテントのコンテントを編集することができる。図７は本発明の実施形態による携帯端末機で統合コンテント内のコンテントを分離及び編集する手続きを示したフローチャートである。図８は図７において統合コンテントにリンクされたコンテントを分離する手続きを示したフローチャートであり、図９Ａ及び図９Ｂは図８等の手続きによって統合コンテントでリンクされたコンテントを分離する例を示した図面である。また、図１０は図７において統合コンテントにリンクされたコンテントを編集する手続きを示したフローチャートであリ、図１１Ａ−１１ｅは図１０等の手続きによって統合コンテントのコンテントを編集する例を示した図面である。
【００４６】
上記図７−１１ｅを参照すれば、コンテントが表示される状態で統合コンテントを生成するための入力インタラクションが発生されると、上記制御部１００は７１１段階でこれを検出して、７１３段階で統合コンテントを生成する。上記７１１及び７１３段階の作動は図２等の手続きで実行されることができる。
【００４７】
上記のように統合コンテントを生成及び表示する状態で統合コンテント内のコンテントを分離するための入力インタラクションが発生されると、上記制御部１００は７２１段階でこれを検出して、７２３段階で図８等の手続きを実行しながら統合コンテント内で選択されたコンテントのリンクを解除し、リンクが解除されたコンテントを表示部１３０に表示する。
【００４８】
上記図８を参照すれば、ユーザが統合コンテント内のアイコンイメージをタッチした後、ドラッグして統合コンテント表示領域以外の表示部１３０でドロップする場合、上記制御部１００は８１１段階でこれを分離インタラクションと判断する。以後、上記制御部１００は８１３段階で選択されたコンテントのリンクを上記統合コンテントで解除して上記ドロップされた位置に上記リンクが解除されたコンテントを表示する。さらに、上記制御部１００は８１５段階で上記統合コンテント内のコンテント情報表示領域(アイコンイメージ表示領域)でリンクが解除されたコンテント情報(アイコンイメージ)の表示を除去して統合コンテント内のアイコンイメージの表示を再整列する。
【００４９】
図９Ａ及び図９Ｂを参照すれば、９１０の９１１のような統合コンテントは、３個のコンテントがリンクされたコンテントであり、この際、統合コンテントの詳細画面は９５０のように表示される。上記のような状態でコンテント情報であるアイコンイメージ９０５をタッチ及びドラッグして統合コンテント９１１の以外の表示部１３０でドロップすると、上記制御部１００は９２０の統合コンテント９１１でコンテント９１３のリンクを解除して、さらに統合コンテント９１１内のアイコン表示領域でも当該のアイコン９０５の表示を解除する。この場合、上記コンテント９１１の詳細画面は９６０のように表示されて、コンテント９１３のリンクが解除されることを分かる。さらに、９２０のように表示される状態で統合コンテント９１１のアイコンイメージ９０３をドラッグして表示部１３０にドロップすると、上記制御部１００は９３０の統合コンテント９１１でコンテント９２１のリンクを解除し、さらに、統合コンテント９１１内のアイコン表示領域でも当該のアイコン９０３の表示を解除する。この場合、上記コンテント９１１の詳細画面は９７０のように表示されて、コンテント９２１のリンクが解除されることを分かる。さらに、９３０のように表示される状態で統合コンテント９１１のアイコンイメージ９０１をドラッグして統合コンテント９９１が表示される領域以外の表示部１３０にドロップすると、上記制御部１００は９４０の統合コンテント９１１でコンテント９３１のリンクを解除して、さらに統合コンテント９１１内のアイコン表示領域でも当該のアイコン９０１の表示を解除する。この場合、上記コンテント９１１の詳細画面は９８０のように表示されて、コンテント９３１のリンクが解除されることを分かる。この際、上記９４０のような場合、コンテント９１１は統合コンテントではない単一コンテントとなる。
【００５０】
また、上記図９Ａの９１０のように表示される状態でユーザがコンテントアイコンイメージ９０３を選択した後、ドラッグ及びドロップすると、上記制御部１００は上記アイコンイメージ９０３に対応されるコンテントを表示部１３０のドロップ位置に表示し、統合コンテント９１１内のアイコンイメージで当該のアイコンイメージ９０３を削除する。さらに、上記アイコンイメージ９０５の表示位置を移動させて順次にアイコンイメージが表示されるように再整列する。
【００５１】
上記のように本発明の実施形態ではコンテント統合時、自動生成された統合コンテントのアイコンを統合コンテントを表示する領域の外部でドラッグアンドドロップすると、上記制御部１００は選択されたコンテントのアイコンがさらに元のサムネイル形式のコンテントで表示部に表示する。すなわち、統合コンテントのアイコンイメージを選択して分離インタラクションを実行すると、上記制御部１００はこれを検出して、当該のアイコンイメージに対応されるコンテントイメージをキャンバス画面に配置させて統合コンテントで当該のコンテントのリンクを解除する。
【００５２】
また上記制御部１００は統合コンテントを選択(例えば、tａp)すると、上記制御部１００は７３１段階で統合コンテントの選択を検出して、７３３段階で選択された統合コンテントの詳細画面を表示する。上記のように詳細画面を表示する状態で統合コンテントの編集命令が発生されると、上記制御部１００は７３５段階でこれを検出して、７３７段階で編集インタラクションによって当該のコンテントを編集する。
【００５３】
図１０を参照して統合コンテントの編集処理を検討すると、統合コンテントを選択すると、上記制御部１００は１０１１段階で統合コンテントのコンテントを詳細画面と表示する。上記詳細画面を表示する状態でユーザがスクロール(ｓｃｒｏｌｌ)又はスワイプ(ｓｗｉｐｅ)すると、上記制御部１００はコンテントの詳細画面を移動させて表示し、ユーザは移動される詳細画面を確認しながら望むコンテントの詳細画面を選択することができる。
【００５４】
この際、表示されるコンテントの詳細画面の編集インタラクションを発生すると、上記制御部１００は１０１３段階でこれを検出して編集メニューを表示する。ここで表示されるコンテントの詳細画面をタッチ状態を一定時間以上維持する場合(ｔａｐ ａｎｄ ｈｏｌｄ)、上記制御部１００はこれを編集インタラクションと判断することができる。本発明の実施形態で上記編集メニューはコンテント編集(ｅｄｉｔ ｃｏｎｔｅｎｔｓ)、ｆａｖｏｒｉｔｅ、コンテント移動(ｍｏｖｅ)、コンテント削除(ｄｅｌｅｔｅ)、クリップボードに追加(ａｄｄ ｔｏ ｃｌｉｐｂｏａｒｄ)、保存(ｓａｖｅ)等になることができる。この際、コンテント編集が選択されると、上記制御部１００は１０１７段階でこれを検出して１０１９段階でコンテントの編集のための入力部(ＳＩＰ：Ｓｏｆｔ Ｉｎｐｕｔ Ｐａｎｅｌ)を表示する。以後、上記制御部１００は上記ＳＩＰを通じて入力されるデータによってコンテントを編集する。以後、コンテント編集の終了要求の時、上記制御部１００は１０２３段階でこれを検出して、１０２５段階で編集されたコンテントのデータを保存する。
【００５５】
図１１Ｂ及び図１１Ｃを参照すれば、統合コンテントを選択すると、上記制御部１００は１０１１段階で図１１Ａの１１１０のように統合コンテントにリンクされたコンテントの詳細画面を表示して、スクロール又はスワイプ検出の時、図１１Ａの１１１３のようにユーザによって選択されるコンテントの詳細画面を表示部１３０に表示する。上記のような状態で編集インタラクション(ここではｔａｐ ａｎｄ ｈｏｌｄとなることができる)が検出されると、上記制御部１００は１０１５段階でこれを検出して１０１５段階で１１３５のように編集メニューを表示する。上記のように編集メニューが表示される状態で図１１Ｂの１１３５のようにコンテント編集(ｅｄｉｔ ｃｏｎｔｅｎｔｓ)を選択(tａp)すると、上記制御部１００は１０１７段階でコンテント編集なのを検出して図１１Ｃの１１３７のようにＳＩＰを表示する。この際、ユーザが上記ＳＩＰを通じて入力を発生すると、上記制御部１００は１０２１段階から１１３９のように入力されるデータで編集動作を実行すると、コンテント編集終了時、１０２３段階でこれを検出して１０２５段階で図１１Ｃの１１４１のように編集されたコンテントを上記メモリー１１０に保存する。  
【００５６】
さらに、上記１０１５段階で図１１Ａの１１３５のように編集メニューが表示される状態でｆａｖｏｒｉｔｅが選択されると上記制御部１００は１０３１段階でこれを検出して １０３３段階で当該のコンテントをｆａｖｏｒｉｔｅ ｃｏｎｔｅｎｔｓで登録する。
【００５７】
さらに、上記１０１５段階で編集メニューが表示される状態で移動(ｍｏｖｅ)が選択されると、上記制御部１００は１０４１段階でこれを検出して１０４３段階でユーザの入力インタラクションによって選択されたコンテントのリンク位置を移動させて、１０４５段階で統合コンテントのコンテント情報(すなわち、アイコンイメージ)の位置を再整列させて、１０４７段階で編集データを保存する。
【００５８】
図１１Ｄ及び図１１Ｅを参照すれば、図１１Ｄの１１６１のようにコンテントの詳細画面を表示する状態で特定コンテントの詳細画面に編集インタラクション(例えば、ｔａｐ ａｎｄ ｈｏｌｄ)を発生すると、上記制御部１００は図１１Ｄの１１６３のように編集メニューを表示して、上記編集メニューで移動(ｍｏｖｅ)を選択すると、上記制御部１００は１０４１段階で統合コンテント内でリンクされたコンテントの移動を実行する。この際、ユーザが図１１Ｄの１１６５のように選択されたコンテントの詳細画面を移動させるための入力インタラクション(例えば、ｓｗｉｐｅ)、上記制御部１００は１０４３段階で入力インタラクションによって図１１Ｅの１１６７のようにコンテントのリンク位置を移動させて１０４５段階で統合コンテントのアイコンイメージ位置を再整列して、１０４７段階から１１６９のように編集されたデータを保存する。
【００５９】
さらに、上記１０１５段階で編集メニューが表示される状態で削除(ｄｅｌｅｔｅ)が選択されると上記制御部１００は１０５１段階でこれを検出して１０５３段階で選択されたコンテントを削除して統合コンテントで削除されたコンテントのリンクを解除し、１０４５段階で統合コンテントのコンテント情報(すなわち、アイコンイメージ)の位置を再整列させ、１０４７段階で編集データを保存する。
【００６０】
さらに、上記１０１５段階で編集メニューが表示される状態でクリップボードに追加が選択されると上記制御部１００は１０６１段階でこれを検出して１０６３段階で選択されたコンテントをクリップボードに追加する。
【００６１】
上記のように統合コンテントの詳細画面を表示する状態で特定コンテントの詳細画面を選択した後、編集インタラクションを発生すると、上記制御部１００は編集インタラクションが検出されたコンテントを編集対象のコンテントとして選択する。以後、上記制御部１００は上記選択されたコンテントを編集メニューによって選択される編集機能で編集して統合コンテントにリンクされたコンテントを編集することができる。例えば、統合コンテントで特定コンテントをタップアンドホールド(Ｔａｐ＆Ｈｏｌｄ)してエディット(Ｅｄｉｔ)メニューを選択して各コンテントを編集することができる。
【００６２】
上記図７に戻って、７３５段階でコンテントを編集するためのユーザ入力が発生されない場合、７４１段階でコンテントを実行するためのユーザ入力が発生するか検査する。この際、統合コンテントの詳細画面が表示される状態で特定コンテントが選択されると、上記制御部１００は７４１段階で当該のコンテントの実行を検出して７４３段階で選択されたコンテントを実行させる。図１１Ａを参照すれば、図１１Ａの１１１０のように統合コンテントの詳細画面が表示される状態でコンテントの詳細画面が選択する入力インタラクション(例えば、tａp)が発生されると、上記制御部１００は７４１段階でコンテントの実行入力で検出して、７４３段階で図１１Ａの１１１３のように選択されたコンテントのアプリケーション(ここではメモアプリケーションとなることができる)を呼び出してコンテントを実行させる。以後、ユーザがアプリケーションの終了要求が発生すると(例えば、キャンセルキー)、上記制御部１００はこれを検出して図１１Ａの１１１５のように統合コンテントの詳細画面表示過程へ戻る。この際、上記コンテントの実行は上記図４等の手続きによって図６等の方法で実行させることができる。即ち、上記統合コンテントの各コンテントに対する実行は対応されるコンテントのアプリケーション(Ｎａｔｉｖｅ Ａｐｐｌｉｃａｔｉｏｎ)を活用する。
【００６３】
本明細書及び図面に開示された本発明の実施形態は本発明の記述内容を容易に説明して本発明の理解を助けるために特定例を提示したものであって、本発明の範囲を限定するものではない。ここに開示された実施形態以外にも本発明の技術的思想に基づいた他の変形形態が実施可能であるということは本発明が属する技術分野で通常の知識を有する者に自明なものであろう。
【符号の説明】
【００６４】
１００  制御部
１１０  メモリー
１２０  通信部
１３０  表示部
１４０  第１入力部
１４０  タッチパネル
１５０  第２入力部
１５０  パネル
【図１】
2014110053.tif 000004
【図２】
2014110053.tif 000005
【図４】
2014110053.tif 000006
【図７】
2014110053.tif 000007
【図８】
2014110053.tif 000008
【図１０】
2014110053.tif 000009
【図３】
2014110053.tif 000010
【図５Ａ】
2014110053.tif 000011
【図５Ｂ】
2014110053.tif 000012
【図６】
2014110053.tif 000013
【図９Ａ】
2014110053.tif 000014
【図９Ｂ】
2014110053.tif 000015
【図１１Ａ】
2014110053.tif 000016
【図１１Ｂ】
2014110053.tif 000017
【図１１Ｃ】
2014110053.tif 000018
【図１１Ｄ】
2014110053.tif 000019
【図１１Ｅ】
2014110053.tif 000020